(57)【要約】  本発明は、疎水性活性成分を含む油相と、水相と、以下のもの：非イオン性一次界面活性剤系、第一の非イオン性補助界面活性剤系、および第二の非イオン性補助界面活性剤系を含む界面活性剤系とを含む安定かつ透明なマイクロエマルションに関する。【特許請求の範囲】
【請求項１】
−  疎水性活性成分を含む油相、好ましくは香料と、
−  水相と、
−  以下のものを含む界面活性剤系：
・  非イオン性一次界面活性剤系
・  第一の非イオン性補助界面活性剤系、および
・  第二の非イオン性補助界面活性剤系
とを含むマイクロエマルションにおいて、
−  前記非イオン性一次界面活性剤系が、５〜１９個のＰＥＧ単位を有する少なくとも１種のエトキシル化アルコールを含み、
−  前記第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
−  前記第二の非イオン性補助界面活性剤系が、１９個より多くのＰＥＧ単位を有するエトキシル化アルコール、１９個より多くのＰＥＧを有するＰＥＧ変性された水素化ヒマシ油、およびこれらの混合物から成る群より選択される、
ことを特徴とするマイクロエマルション。
【請求項２】
前記界面活性剤系が、カチオン性界面活性剤および／またはアニオン性界面活性剤を含まない、請求項１記載のマイクロエマルション。
【請求項３】
前記疎水性活性成分と前記界面活性剤系との間の重量比Ｒｗが、以下の等式：０．７≦Ｒｗ≦２、好ましくは１≦Ｒｗ≦２を満たす、請求項１または２記載のマイクロエマルション。
【請求項４】
前記非イオン性一次界面活性剤が、９〜１８、好ましくは１０〜１５のＨＬＢを有する、請求項１から３までのいずれか１項記載のマイクロエマルション。
【請求項５】
前記界面活性剤系に含まれるエトキシル化アルコール（複数可）のアルキル基が、総数８〜１８個の炭素原子を含む鎖長を有する直鎖状、分枝鎖状、第一級および第二級アルコールから成る群で選択される、請求項１から４までのいずれか１項記載のマイクロエマルション。
【請求項６】
前記第一の補助界面活性剤系が、ＰＰＧ−２６ブテス−２６と、４０個のＰＥＧ単位を有するＰＥＧ変性された水素化ヒマシ油とを含む、請求項１から５までのいずれか１項記載のマイクロエマルション。
【請求項７】
前記第二の非イオン性補助界面活性剤系が、２０〜６０個のＰＥＧ単位を有するエトキシル化アルコール、２０〜６０個のＰＥＧ単位を有するＰＥＧ変性された水素化ヒマシ油、およびこれらの混合物から成る群より選択される非イオン性界面活性剤を含む、請求項１から６までのいずれか１項記載のマイクロエマルション。
【請求項８】
−  前記第一の補助界面活性剤系が、ＰＰＧ−２６ブテス−２６と、４０個のＰＥＧ単位を有するＰＥＧ変性された水素化ヒマシ油とを含み、かつ
−  前記第二の補助界面活性剤系が、３０個のＰＥＧ単位、４０個のＰＥＧ単位、６０個のＰＥＧ単位およびこれらの混合物を有するＰＥＧ変性された水素化ヒマシ油から成る群で選択される非イオン性界面活性剤を含む、
請求項６または７記載のマイクロエマルション。
【請求項９】
前記第一の非イオン性補助界面活性剤系に含まれる１９個より多くのＰＥＧ単位を有する前記ＰＥＧ変性された水素化ヒマシ油が、前記第二の非イオン性補助界面活性剤系に含まれる１９個より多くのＰＥＧ単位を有する前記ＰＥＧ変性された水素化ヒマシ油とは異なる、請求項１から７までのいずれか１項記載のマイクロエマルション。
【請求項１０】
水混和性有機共溶媒、好ましくは、一価および多価溶媒、例えば、エタノール、プロパノール、プロピレングリコール、ヘキシレングリコール、ジプロピレングリコール、グリセロール、ジイソプロピリデングリコール、ブチレングリコール（１，３−ブタンジオール）、イソプロパノールおよびこれらの混合物から成る群で選択される水混和性有機共溶媒をさらに含む、請求項１から９までのいずれか１項記載のマイクロエマルション。
【請求項１１】
請求項１から１０までのいずれか１項に定義されているマイクロエマルションと、賦香補助成分、香料担体およびこれらの混合物から成る群より選択される少なくとも１種の成分と、任意で少なくとも１種の香料アジュバントとを含む、賦香組成物。
【請求項１２】
請求項１から１０までのいずれか１項に定義されているマイクロエマルションまたは請求項１１に定義されている賦香組成物を含む、消費者製品。
【請求項１３】
ホームクリーニング製品、ホームフレグランス製品、害虫駆除製品または靴ケア製品の形態にある、請求項１２記載の消費者製品。
【請求項１４】
エアフレッシュナーの形態にある、請求項１３記載の消費者製品。
【請求項１５】
ファインフレグランス製品、パーソナルケア製品またはオーラルケア製品の形態にある、請求項１２記載の消費者製品。
【発明の詳細な説明】
【技術分野】
【０００１】
本発明は、非イオン性界面活性剤系を含む水性マイクロエマルションに関する。より詳細には、界面活性剤系は、少なくとも１種の非イオン性一次界面活性剤系、少なくとも１種の第一の非イオン性補助界面活性剤系、および少なくとも１種の第二の非イオン性補助界面活性剤系を含む。
【０００２】
ホームケアまたはパーソナルケア製品の形態にある、上記のマイクロエマルションを含む賦香組成物および消費者製品、特に賦香された消費者製品も、本発明の一部である。
【背景技術】
【０００３】
マイクロエマルションは、比較的多量の界面活性剤を添加することにより均質、透明および安定にされていることが一般的な、水と油との液体分散体である。ホームケアにおける水系消費者製品、例えば、ボディケアおよびパーソナルケアにおける多目的クリーナー、シャンプー、シャワーゲル、エアロゾルまたはエタノール不含製品は、水中油型マイクロエマルションであることが一般的であり、ここで、分散した油相は、無極性活性物質、例えば香料を含有する。準安定系であり、かつ長期間貯蔵すると最終的に相分離を起こすエマルションとは反対に、マイクロエマルションは、自発的に形成し、熱力学的に安定している。マイクロエマルションは、組成および温度について非常に敏感であり、マイクロエマルションの調製では、主成分の水、油、界面活性剤および任意でさらなる添加剤との間で適切なバランスを見つける必要がある。特に、油相と界面活性剤の極性との間のつり合いが、多量の油の可溶化を可能にする最適な組成を有するマイクロエマルションの形成に重要である。補助界面活性剤および水混和性共溶媒の添加は、温度および可溶化能力について安定範囲の向上に役立ち、そのようなマイクロエマルションを、良好にバランスの取れたものにし、安定なコロイド系にする。
【０００４】
現在、本発明の目的について、例えば香料産業では、フレグランス（疎水性活性成分）の量に対してかなりの量の界面活性剤を組み込むことは望ましくない。多量の界面活性剤を使用することは、持続可能性の観点から望ましくない。材料の添加が少ないと、廃水中の有機薬品含量が減少する。これは、最終製品のコストを低下させることにも寄与する。さらに、特定の用途、例えばエアロゾルの場合、界面活性剤がより少量であることにより、非揮発性成分の含量が減少し、結果として、噴霧塗布後の固体の堆積（ｆａｌｌ−ｏｕｔ）が低減される。最終的に、界面活性剤がより少量であることにより、ボディケアもしくはパーソナルケア製品またはエアロゾルスプレー中で使用される際に、皮膚における刺激性または吸入時の肺における刺激性を低減することができる。
【０００５】
特に、皮膚の刺激性は、何よりもまず、界面活性剤の極性および電荷による。皮膚に対する最も多い刺激物は、カチオン性界面活性剤であり、次にアニオン性のもの、非イオン性のもの、および両性のものであると知られている。
【０００６】
さらに、マイクロエマルションの工業開発において、調製物が、様々な異なるカテゴリーおよび用途の製品に用いることが可能であることが非常に重要である。異なる１つの基本パラメーターは、様々な用途で使用される油相（例えば香料）の量である。
【０００７】
従来技術では、マイクロエマルションについて幅広く記載されてきた。例えば、欧州特許出願公開第０５７１６７７号明細書および米国特許第５３７４６１４号明細書には、一次界面活性剤と補助界面活性剤（複数可）とから成る界面活性剤系を含む水性香油マイクロエマルションが開示されている。
【０００８】
マイクロエマルションが当技術分野においてよく知られているとしても、これらのマイクロエマルションの安定性の特性は、改善可能であろう。
【０００９】
よって、幅広い油相濃度内で安定しており、よって様々な用途に適切と思われるマイクロエマルションを提供する必要がある。
【００１０】
発明の概要
本発明には、一次界面活性剤（複数可）と補助界面活性剤（複数可）との特定の組み合わせを使用することにより、少量の界面活性剤を含むマイクロエマルションを、透明性、流動性および安定性の要件と一緒に得ることが可能であると開示されている。
【００１１】
よって、本発明の第一の対象は、
−  疎水性活性成分を含む油相、好ましくは香料と、
−  水相と、
−  以下のものを含む界面活性剤系：
・  非イオン性一次界面活性剤系
・  第一の非イオン性補助界面活性剤系、および
・  第二の非イオン性補助界面活性剤系
とを含むマイクロエマルションにおいて、
−  非イオン性一次界面活性剤系が、５〜１９個のＰＥＧ単位を有する少なくとも１種のエトキシル化アルコールを含み、
−  第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
−  第二の非イオン性補助界面活性剤系が、１９個より多くのＰＥＧ単位を有するエトキシル化アルコール、１９個より多くのＰＥＧを有するＰＥＧ変性された水素化ヒマシ油、およびこれらの混合物から成る群より選択される、
ことを特徴とするマイクロエマルションである。
【００１２】
本発明の第二の対象は、本発明に定義されているマイクロエマルションと、賦香補助成分、香料担体およびこれらの混合物から成る群より選択される少なくとも１種の成分と、任意で少なくとも１種の香料アジュバントとを含む賦香組成物である。
【００１３】
本発明の第三および第四の対象には、本発明に定義されているマイクロエマルションまたは賦香組成物を含む消費者製品が記載されている。
【００１４】
最終的に、本発明の最後の対象は、油相および水相を含むマイクロエマルションを安定化させるための、少なくとも１種の非イオン性一次界面活性剤系と、少なくとも１種の第一の非イオン性補助界面活性剤系と、少なくとも１種の第二の非イオン性補助界面活性剤系とを含む界面活性剤系の使用において、
・  非イオン性一次界面活性剤系が、５〜１９個のＰＥＧ単位を有する少なくとも１種のエトキシル化アルコールを含み、
・  第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
・  第二の非イオン性補助界面活性剤系が、１９個より多くのＰＥＧ単位を有するエトキシル化アルコール、１９個より多くのＰＥＧを有するＰＥＧ変性された水素化ヒマシ油、およびこれらの混合物から成る群より選択される、
ことを特徴とする使用から成る。
【００１５】
発明の詳細な説明
界面活性剤系内の相乗効果を理由に、本発明のマイクロエマルションは、少量の界面活性剤を含み、マイクロエマルション中の油相（例えば香油）の濃度にかかわらず、大きな温度範囲にわたり、安定かつ透明な油性分散体の形態にある。
【００１６】
よって、本発明の第一の対象は、
−  疎水性活性成分を含む油相、好ましくは香料と、
−  水相と、
−  以下のものを含む界面活性剤系：
・  非イオン性一次界面活性剤系
・  第一の非イオン性補助界面活性剤系、および
・  第二の非イオン性補助界面活性剤系
とを含むマイクロエマルションにおいて、
−  非イオン性一次界面活性剤系が、５〜１９個のＰＥＧ単位を有する少なくとも１種のエトキシル化アルコールを含み、
−  第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
−  第二の非イオン性補助界面活性剤系が、１９個より多くのＰＥＧ単位を有するエトキシル化アルコール、１９個より多くのＰＥＧを有するＰＥＧ変性された水素化ヒマシ油、およびこれらの混合物から成る群より選択される、
ことを特徴とするマイクロエマルションである。
【００１７】
本発明によると、「１９個よりも多くのＰＥＧを有するＰＥＧ変性された水素化ヒマシ油」および「１９個よりも多くのＰＥＧを有する変性された水素化ヒマシ油」という用語は、同じ意味で使用される。
【００１８】
「ＰＥＧ変性された水素化ヒマシ油」とは、１モルの水素化ヒマシ油とｎモルのエチレンオキシドとを反応させることにより得られる化合物を意味する。本発明によると、ｎは、１９より大きく、好ましくは２０〜６０の間に含まれ、より好ましくは３０、４０または６０である。
【００１９】
「マイクロエマルション」とは、油と、水と、界面活性剤と、補助界面活性剤と、任意で共溶媒とを一緒に混合すると自発的に形成される、水と油との液体分散体であると理解すべきである。マイクロエマルション液滴は、平均直径範囲が一般的に１００ｎｍ未満にある狭い液滴径分布を有する。
【００２０】
本発明によるマイクロエマルションは、室温（ＲＴ）で透明であり、大きな温度範囲（一般的にＲＴ±１０〜２０℃）で安定であると示された。
【００２１】
「透明な」という用語は、着色剤または蛍光剤なしのマイクロエマルションについて、脱塩水に対して参照して、１ｃｍの経路長で、可視光（５００〜８００ｎｍ）の透過率の値が１００％であることを意味する。
【００２２】
界面活性剤系
本発明の界面活性剤系は、
−  非イオン性一次界面活性剤系
−  第一の非イオン性補助界面活性剤系、および
−  第二の非イオン性補助界面活性剤系
を含む。
【００２３】
本発明によると、一次界面活性剤系および／または第一の補助界面活性剤系および／または第二の補助界面活性剤系は、非イオン性界面活性剤の水性ブレンドであってもよいと理解すべきである。
【００２４】
非イオン性一次界面活性剤
本発明によると、非イオン性一次界面活性剤は、疎水性活性成分と適合している必要がある。特に、可溶化能力および温度安定性の点で高性能なマイクロエマルションを生成するために、油の極性は、使用される界面活性剤の極性とつり合っているべきである。したがって、疎水性活性成分の性質に応じて、当業者であれば、適切な一次界面活性剤を、特に、よく知られたパラメーターであるそのＨＬＢ（親水性親油性バランス）により選択することができるだろう。
【００２５】
一実施形態によると、非イオン性一次界面活性剤は、９〜１８、好ましくは１０〜１５のＨＬＢを有する。
【００２６】
一実施形態によると、非イオン性一次界面活性剤系のエトキシル化アルコールのアルキル基は、総数８〜１８個の炭素原子を含む鎖長を有する直鎖状、分枝鎖状、第一級および第二級アルコールから成る群で選択される。
【００２７】
一般的に、非イオン性一次界面活性剤は、ＰＥＧ（７）、ＰＥＧ（９）、ＰＥＧ（１２）第二級アルコールエトキシレートおよびこれらの混合物から成る群で選択される。
【００２８】
一実施形態によると、非イオン性一次界面活性剤系は、２種または３種の非イオン性一次界面活性剤、好ましくは、ＰＥＧ（７）、ＰＥＧ（９）、ＰＥＧ（１２）第二級アルコールエトキシレートから成る群で選択されるものを含む。
【００２９】
マイクロエマルションは、マイクロエマルションの総重量を基準として、０．０５〜３０重量％の一次界面活性剤系を含むことが好ましい。
【００３０】
非イオン性補助界面活性剤系
本発明によると、一次界面活性剤に加えて、界面活性剤系は、２種の補助界面活性剤系、すなわち、第一の補助界面活性剤系および第二の補助界面活性剤系を含む。
【００３１】
界面活性剤系中で補助界面活性剤（複数可）を使用すると、温度−香料濃度の状態図における透明なマイクロエマルションの帯域が拡大されることにより、マイクロエマルションの温度安定性が改善する。
【００３２】
マイクロエマルションは、マイクロエマルションの総重量を基準として、０．０５〜３０重量％の補助界面活性剤系を含むことが好ましい。
【００３３】
第一の非イオン性補助界面活性剤系
本発明によると、第一の非イオン性補助界面活性剤系は、１９個よりも多くのＰＥＧ単位を有するＰＥＧ変性された水素化ヒマシ油と、ポリプロポキシル化−ポリエトキシル化アルコールとを含む。
【００３４】
一実施形態によると、第一の補助界面活性剤系中に存在するＰＥＧ変性された水素化ヒマシ油は、２０〜６０個のＰＥＧ単位を有するＰＥＧ変性された水素化ヒマシ油である。
【００３５】
別の実施形態によると、第一の補助界面活性剤系中に存在するポリプロポキシル化−ポリエトキシル化アルコールは、ブチルアルコールエーテルである。
【００３６】
特定の実施形態によると、第一の補助界面活性剤系は、ＰＰＧ−２６ブテス−２６と、４０個のＰＥＧ単位を有するＰＥＧ変性された水素化ヒマシ油とを含む。
【００３７】
別の実施形態によると、第一の補助界面活性剤は、ＰＰＧ−２６ブテス−２６と、４０個のＰＥＧ単位を有するＰＥＧ変性された水素化ヒマシ油と、水とから成る混合物を含み、好ましくはこの混合物から成る。上記の混合物は、市販で入手可能であり、Ｓｏｌｕｂｉｌｉｚｅｒ  ＬＲＩ（登録商標）（製造元：ＬＣＷ  Ｓｅｎｓｉｅｎｔ  Ｃｏｓｍｅｔｉｃ  Ｔｅｃｈｎｏｌｏｇｉｅｓ）という商標でよく知られている。
【００３８】
第二の非イオン性補助界面活性剤系
本発明によると、第二の補助界面活性剤系は、１９個より多くのＰＥＧ単位を有するエトキシル化アルコール、または１９個より多くのＰＥＧを有する第二のＰＥＧ変性された水素化ヒマシ油、およびこれらの混合物から成る群より選択される少なくとも１種の非イオン性界面活性剤を含む。
【００３９】
一実施形態によると、第二の補助界面活性剤は、２０〜６０個のＰＥＧ単位を有するエトキシル化アルコールである。
【００４０】
第二の補助界面活性剤のエトキシル化アルコールのアルキル基は、総数８〜１８個の炭素原子を含む鎖長を有する直鎖状、分枝鎖状、第一級および第二級アルコールから成る群で選択されることが好ましい。
【００４１】
一実施形態によると、エトキシル化アルコールは、１４〜１８のＨＬＢを有する。
【００４２】
一般的に、第二の補助界面活性剤は、ＰＥＧ（２０）、ＰＥＧ−３０またはＰＥＧ−４０第二級アルコールエトキシレートおよびこれらの混合物から成る群で選択される。
【００４３】
別の実施形態によると、第二の補助界面活性剤は、好ましくは２０〜６０個のＰＥＧ単位を有するＰＥＧ変性された水素化ヒマシ油である。
【００４４】
特定の実施形態によると、第二の補助界面活性剤は、３０個のＰＥＧ単位、４０個のＰＥＧ単位、６０個のＰＥＧ単位およびこれらの混合物を有するＰＥＧ変性された水素化ヒマシ油である。
【００４５】
一実施形態によると、第一の補助界面活性剤系に含まれる１９個より多くのＰＥＧ単位を有するＰＥＧ変性された水素化ヒマシ油と、第二の補助界面活性剤系に含まれる１９個より多くのＰＥＧ単位を有するＰＥＧ変性された水素化ヒマシ油とは、異なる。
【００４６】
「異なるＰＥＧ変性された水素化ヒマシ油」が意味するものは、ＰＥＧ鎖の異なる長さに応じて極性が異なるＰＥＧ変性された水素化ヒマシ油である。
【００４７】
別の特定の実施形態によると、界面活性剤系は、Ｓｏｌｕｂｉｌｉｚｅｒ  ＬＲＩと、ＰＥＧ（４０）変性された水素化ヒマシ油とを第二の補助界面活性剤として含み、好ましくはこれらから成る。
【００４８】
例として、ＰＥＧ（４０）変性された水素化ヒマシ油は、市販で入手可能であり、Ｃｒｅｍｏｐｈｏｒ  ＲＨ４０（製造元：ＢＡＳＦ）という商標でよく知られている。
【００４９】
特定の実施形態によると、
−  第一の補助界面活性剤系は、ＰＰＧ−２６ブテス−２６と、４０個のＰＥＧ単位を有するＰＥＧ変性された水素化ヒマシ油とを含み、かつ
−  第二の補助界面活性剤系は、３０個のＰＥＧ単位、４０個のＰＥＧ単位、６０個のＰＥＧ単位およびこれらの混合物を有するＰＥＧ変性された水素化ヒマシ油から成る群で選択される非イオン性界面活性剤を含む。
【００５０】
一実施形態によると、一次界面活性剤系と補助界面活性剤系との間の重量比は、５：９５〜９５：５、より好ましくは２０：８０〜８０：２０、さらにより好ましくは４０：６０〜６０：４０である。特定の一実施形態において、比は５０：５０である。
【００５１】
一実施形態によると、第二の補助界面活性剤系と第一の補助界面活性剤系との間の重量比は、５：９５〜９５：５である。特定の一実施形態において、好ましい比は、４０：６０〜６０：４０である。別の実施形態において、比は９０：１０である。
【００５２】
先に言及したように、本発明のマイクロエマルションは、少量の界面活性剤を有し、マイクロエマルションが高濃度の油相（例えば香料）を有する場合でさえも、安定かつ透明な溶液を形成する。
【００５３】
よって、一実施形態によると、疎水性活性成分と界面活性剤系との間の重量比Ｒｗは、以下の等式を満たす：０．７≦Ｒｗ≦２、好ましくは１≦Ｒｗ≦２。
【００５４】
特定の実施形態によると、界面活性剤系は、
−  少なくとも１種の非イオン性一次界面活性剤、
−  少なくとも１種の第一の非イオン性補助界面活性剤、および
−  少なくとも１種の第二の非イオン性補助界面活性剤
から成る。
【００５５】
任意のさらなる界面活性剤
一実施形態によると、界面活性剤系は、カチオン性界面活性剤、アニオン性界面活性剤、両性界面活性剤およびこれらの混合物から成る群で選択される少なくとも１種の界面活性剤をさらに含む。
【００５６】
特定の実施形態によると、界面活性剤系は、両性界面活性剤を含む。
【００５７】
両性界面活性剤の非限定的な例としては、アルキルベタイン、アルキルスルホベタイン、アルキルアミンオキシド、レシチン（リン脂質）、例えばホスファチジルコリンおよびこれらの混合物が挙げられる。
【００５８】
この実施形態は、油相の濃度が約１０％である場合、特に適切である。
【００５９】
特定の実施形態によると、両性界面活性剤はレシチンである。
【００６０】
特定の実施形態によると、界面活性剤系は、
−  少なくとも１種の非イオン性一次界面活性剤、
−  少なくとも１種の第一の非イオン性補助界面活性剤、
−  少なくとも１種の第二の非イオン性補助界面活性剤、および
−  少なくとも１種の両性界面活性剤
を含み、好ましくは、これらから成る。
【００６１】
カチオン性界面活性剤の非限定的な例としては、第四級アンモニウム化合物、塩化ベンザルコニウムおよびこれらの混合物が挙げられる。
【００６２】
アニオン性界面活性剤の非限定的な例としては、アルキルスルフェート、アルキルエーテルスルフェート、アルキルスルホネート、アリールスルホネート、イセチオネート、モノまたはジアルキルスルホサクシネート、アルキルアンホアセテート、アシルアミノ酸誘導体、例えばタウレート、サルコシネート、グリシネート、アラニネート、グルタメート、アルキルカルボキシレートおよびこれらの混合物が挙げられる。
【００６３】
一実施形態によると、界面活性剤系は、カチオン性界面活性剤および／またはイオン性界面活性剤を含まない。
【００６４】
一実施形態によると、界面活性剤系は、カチオン性界面活性剤および／またはアニオン性界面活性剤を含まない。
【００６５】
有機共溶媒（複数可）
一実施形態によると、マイクロエマルションは、水混和性有機共溶媒、好ましくは、マイクロエマルションをさらに安定化させるための一価および多価溶媒から成る群で選択される水混和性有機共溶媒をさらに含む。そのような溶媒の非限定的な例は、エタノール、プロパノール、プロピレングリコール、ヘキシレングリコール、ジプロピレングリコール、グリセロール、ジイソプロピリデングリコール（ｄｉ−ｉｓｏｐｒｏｙｌｉｄｅｎｅ  ｇｌｙｃｏｌ）、ブチレングリコール（１，３−ブタンジオール）およびイソプロパノール、ならびにこれらの混合物を含む群に見ることができる。
【００６６】
疎水性活性成分を含む油相
「疎水性活性成分」とは、水と混合された際に二相分散体を形成する活性成分（単一成分または成分混合物）を意味する。
【００６７】
疎水性活性成分は、香味物質、香味物質成分、香料、香料成分、機能性食品、化粧品、防虫剤、殺生物性活性物質およびこれらの混合物から成る群より選択されることが好ましい。
【００６８】
ここで、疎水性内相中に存在する防虫剤の性質および種類は、これ以上詳細な記載を保証するものではなく、いずれの場合にせよ、すべてを網羅できるものではないため、当業者であれば、その一般的な知見に基づき、意図される使用または用途に応じて、これらを選択することができる。
【００６９】
そのような防虫剤の例は、カバノキ、ＤＥＥＴ（Ｎ，Ｎ−ジエチル−ｍ−トルアミド）、レモンユーカリ（コリンビア・シトリオドラ（Ｃｏｒｙｍｂｉａ  ｃｉｔｒｉｏｄｏｒａ））の精油およびその活性化合物であるｐ−メンタン−３，８−ジオール（ＰＭＤ）、イカリジン（ヒドロキシエチルイソブチルピペリジンカルボキシレート）、ネペラクトン、シトロネラ油、ニーム油、ボグミルトル（ヤチヤナギ）、ジメチルカルベート、トリシクロデセニルアリルエーテル、ＩＲ３５３５（３−［Ｎ−ブチル−Ｎ−アセチル］アミノプロピオン酸、エチルエステル、エチルヘキサンジオール、ジメチルフタレート、メトフルトリン、インダロン、ＳＳ２２０、アントラニレート系防虫剤、ならびにこれらの混合物である。
【００７０】
特定の実施形態によると、疎水性活性成分は、香料と、機能性食品、化粧品、防虫剤および殺生物性活性物質から成る群より選択される別の成分との混合物を含む。
【００７１】
特定の実施形態によると、疎水性活性成分は香料を含む。
【００７２】
特定の実施形態によると、疎水性活性成分は香料から成る。
【００７３】
ここで「香油」（または「香料」とも）が意味するのは、約２０℃で液状である成分または組成物である。先の実施形態のいずれか１つによると、上記の香油は、単独の賦香成分であっても、または賦香組成物の形態にある成分の混合物であってもよい。ここで「賦香成分」とは、香りの付与または調整を主な目的として使用される化合物を意味する。言い換えれば、賦香成分であると考えられるそのような成分は、単に香りを有しているものとしてではなく、少なくとも組成物の香りを有利または心地良いように付与または変性することができるものとして、当業者に認識されるはずである。本発明の目的について、香油としては、賦香成分と、賦香成分、例えば香料前駆体、エマルションまたは分散体のデリバリーを一緒に改善、促進または変性する物質との組み合わせ、ならびに、香りを変性または付与すること以外のさらなる利益、例えば、長期持続性、ブルーミング、悪臭中和作用、抗菌作用、微生物安定性、防虫性を付与する組み合わせも挙げられる。
【００７４】
ここで、疎水性内相中に存在する賦香成分の性質および種類は、これ以上詳細な記載を保証するものではなく、いずれの場合にせよ、すべてを網羅できるものではないため、当業者であれば、その一般的な知見に基づき、意図される使用または用途、および望ましい官能効果に応じて、これらを選択することができる。一般的に、これらの賦香成分は、アルコール、アルデヒド、ケトン、エステル、エーテル、アセテート、ニトリル、テルペノイド、窒素含有または硫黄含有複素環式化合物および精油といった様々な化学分類に属し、上記の賦香補助成分は、天然由来のものであっても、または合成由来のものであってもよい。これらの補助成分の多くは、いかなる場合でも、参考文献、例えばＳ．Ａｒｃｔａｎｄｅｒによる書籍Ｐｅｒｆｕｍｅ  ａｎｄ  Ｆｌａｖｏｒ  Ｃｈｅｍｉｃａｌｓ、１９６９、Ｍｏｎｔｃｌａｉｒ、Ｎｅｗ  Ｊｅｒｓｅｙ、ＵＳＡもしくはその最新版に、または類似した内容のその他の著作物に、また香料分野の膨大な特許文献に一覧にされている。また、上記の成分は、様々な種類の賦香化合物を制御された様式で放出すると知られている化合物であってもよいと理解される。
【００７５】
賦香成分を、香料産業で現在使用されている溶媒に溶解させてもよい。溶媒は、アルコールではないことが好ましい。そのような溶媒の例は、フタル酸ジエチル、ミリスチン酸イソプロピル、Ａｂａｌｙｎ（登録商標）（ロジン樹脂、Ｅａｓｔｍａｎより入手可能）、安息香酸ベンジル、クエン酸エチル、リモネンもしくはその他のテルペンまたはイソパラフィンである。溶媒は、非常に疎水性が高く、高立体障害性であることが好ましく、例えばＡｂａｌｙｎ（登録商標）または安息香酸ベンジルである。香料は、３０％未満の溶媒を含むことが好ましい。香料は、２０％未満、さらにより好ましくは１０％未満の溶媒を含むことがより好ましく、これらのパーセンテージはすべて、香料の総重量に対する重量により定められる。香料は、実質的に溶媒を含まないことが最も好ましい。
【００７６】
一実施形態によると、油相濃度は、マイクロエマルションの０．５〜４０重量％、好ましくは１０〜３０重量％、より好ましくは１５〜３０重量％で含まれる。
【００７７】
本発明の組成物を、当技術分野において公知の方法により製造することができる。
【００７８】
適切な方法は、一次界面活性剤、補助界面活性剤、疎水性活性成分および共溶媒を連続的に添加する工程、ならびに上記の成分を均質に混合する工程から成る。その後、撹拌しながら水を添加し、望ましい濃度を得る。
【００７９】
上記の製造方法に従うと、最小限の量の界面活性剤を用いることにより、高い油含量を有する、安定で、透明で、澄んだマイクロエマルションを製造することができる。
【００８０】
賦香組成物
本発明の別の対象は、マイクロエマルションと、賦香補助成分、香料担体およびこれらの混合物から成る群より選択される少なくとも１種の成分と、任意で少なくとも１種の香料アジュバントとを含む賦香組成物である。
【００８１】
液体香料担体としては、非限定的な例として、乳化系、すなわち溶媒および界面活性剤系、または香料において一般的に使用されている溶媒を挙げることができる。香料において一般的に使用されている溶媒の性質および種類の詳細な記載については、すべてを網羅できるものではない。しかしながら、非限定的な例としては、溶媒、例えば、ジプロピレングリコール、フタル酸ジエチル、ミリスチン酸イソプロピル、安息香酸ベンジル、２−（２−エトキシエトキシ）−１−エタノールまたはクエン酸エチルを挙げることができ、これらが最も一般的に使用されている。また、香料担体および香料補助成分の双方を含む組成物について、先に明記したもの以外の適切な香料担体は、エタノール、水／エタノール混合物、リモネンまたはその他のテルペン、イソパラフィン、例えばＩｓｏｐａｒ（登録商標）（製造元：Ｅｘｘｏｎ  Ｃｈｅｍｉｃａｌ）という商標で知られているもの、またはグリコールエーテルおよびグリコールエーテルエステル、例えばＤｏｗａｎｏｌ（登録商標）（製造元：Ｄｏｗ  Ｃｈｅｍｉｃａｌ  Ｃｏｍｐａｎｙ）という商標で知られているものであってもよい。ここで「香料補助成分」とは、快楽効果を付与する賦香調製物または組成物において使用される化合物であって、先に定義されたマイクロカプセルではないものを意味する。言い換えれば、賦香成分であると考えられるそのような補助成分は、単に香りを有しているものとしてではなく、組成物の香りを有利または心地良いように付与または変性することができるものとして、当業者に認識されるはずである。
【００８２】
ここで、賦香組成物中に存在する賦香補助成分の性質および種類は、これ以上詳細な記載を保証するものではなく、いずれの場合にせよ、すべてを網羅できるものではないため、当業者であれば、その一般的な知見に基づき、意図される使用または用途、および望ましい官能効果に応じて、これらを選択することができる。一般的に、これらの賦香補助成分は、アルコール、ラクトン、アルデヒド、ケトン、エステル、エーテル、アセテート、ニトリル、テルペノイド、窒素含有または硫黄含有複素環式化合物および精油といった様々な化学分類に属し、上記の賦香補助成分は、天然由来のものであっても、または合成由来のものであってもよい。これらの補助成分の多くは、いかなる場合でも、参考文献、例えばＳ．Ａｒｃｔａｎｄｅｒによる書籍Ｐｅｒｆｕｍｅ  ａｎｄ  Ｆｌａｖｏｒ  Ｃｈｅｍｉｃａｌｓ、１９６９、Ｍｏｎｔｃｌａｉｒ、Ｎｅｗ  Ｊｅｒｓｅｙ、ＵＳＡもしくはその最新版に、または類似した内容のその他の著作物に、また香料分野の膨大な特許文献に一覧にされている。また、上記の補助成分は、様々な種類の賦香化合物を制御された様式で放出すると知られている化合物であってもよいと理解される。
【００８３】
ここで「香料アジュバント」とは、色、特定の耐光性、化学的安定性などのさらなる付加された利益を付与することが可能な成分を意味する。賦香ベースにおいて一般的に使用されるアジュバントの性質および種類の詳細な記載については、すべてを網羅できるものではなく、上記の成分は当業者によく知られていることに言及する必要がある。
【００８４】
消費者製品
本発明のマイクロカプセルを、香料、すなわちファイン香料または機能性香料の様々な分野において有利に使用することができる。
【００８５】
結果として、本発明の別の対象は、消費者製品により、好ましくは上記のマイクロエマルションを含む賦香消費者製品により表される。
【００８６】
明確にするために、「賦香消費者製品」とは、これが施与される表面（例えば、皮膚、毛髪、布地または家庭における表面）に少なくとも１つの心地良い賦香効果をデリバリーすることが期待される消費者製品を意味することに言及する必要がある。言い換えれば、本発明による賦香消費者製品は、機能性調製物、ならびに望ましい消費者製品に相応する任意のさらなる有益な薬剤、例えば洗浄剤またはエアフレッシュナー、および嗅覚面で有効量の少なくとも１種の本発明の化合物を含む賦香された消費者製品である。
【００８７】
ここで、香料消費者製品の構成要素の性質および種類は、より詳細な記載を保証するものではなく、いずれの場合にせよ、網羅できるものではないため、当業者であれば、その一般的な知見に基づき、上記の製品の性質および望ましい効果に応じて、これらを選択することができる。ここで、これらの調製物は、詳細な説明を保証するものではなく、いずれの場合にせよ、網羅できるものではない。そのような消費者製品を調製する当業者であれば、その一般的な知見および利用可能な文献に基づいて、適切な成分を完全に選択することができる。
【００８８】
特に、そのような調製物の例は、そのような製品に関する特許および特許出願、例えば、国際公開第２００８／０１６６８４号、米国特許出願公開第２００７／０２０２０６３号明細書、国際公開第２００７／０６２８３３号、国際公開第２００７／０６２７３３号、国際公開第２００５／０５４４２２号、欧州特許第１７４１７７５号明細書、英国特許出願公開第２４３２８４３号明細書、英国特許出願公開第２４３２８５０号明細書、英国特許出願公開第２４３２８５１号明細書、英国特許出願公開第２４３２８５２号明細書、国際公開第９８５００１１号、国際公開第２０１３１７４６１５号または国際公開第２０１２０８４９０４号に見ることができる。
【００８９】
適切な香料消費者製品の非限定的な例は、香料、例えば、ファインパフューム、ボディスプラッシュ、コロンまたはアフターシェーブローション；布地ケア製品、例えば液体洗浄剤、布用柔軟剤、布地リフレッシャー、アイロン水または漂白剤；ボディケア製品、例えばヘアケア製品（例えば、シャンプー、ヘアコンディショナー、カラーリング調製物またはヘアスプレー）、化粧調製物（例えば、バニシングクリーム、ボディーローションまたは消臭剤もしくは制汗剤）またはスキンケア製品（例えば、賦香された石けん、シャワーまたはバスムース、ボディウォッシュ、オイルもしくはジェル、バスソルトまたは衛生製品）；空気ケア製品、例えばエアフレッシュナー；またはホームケア製品、例えば多目的クリーナー、液体台所洗剤製品、トイレクリーナーまたは様々な表面を清浄化するための製品、例えば、布地または硬質表面（床、タイル、石床など）の処理／リフレッシュを目的としたスプレー＆ワイプであってもよい。
【００９０】
本発明のマイクロエマルションを濃縮または希釈してもよく、すなわち、これらは、多量の水を含有していても、またはそれとは反対に多量の香料を含有していてもよい。
【００９１】
一実施形態によると、消費者製品は、ホームクリーニング製品、ホームフレグランス製品、害虫駆除製品または靴ケア製品の形態にある消費者製品であり、本発明に定義されているマイクロエマルションまたは賦香組成物を含む。
【００９２】
特定の実施形態によると、消費者製品はエアフレッシュナーである。
【００９３】
先の実施形態によると、本発明のマイクロエマルションは、このタイプのエアフレッシュナー装置を介してその周囲に拡散するのに適した形態にある。
【００９４】
別の実施形態によると、消費者製品は、上記のマイクロエマルションを含む、ファインフレグランス製品、パーソナルケア製品、オーラルケア製品の形態にある。
【００９５】
したがって、用途次第では、マイクロエマルションはまた、このタイプの装置において主流の任意の成分、例えば、腐食阻害剤、酸化防止剤、染料、苦味剤、ＵＶ阻害剤、保存剤、キレート剤およびその他の適切な油または水溶性成分を含んでいてもよい。そのような任意の成分は、３％ｗ／ｗ、または２％ｗ／ｗ以下でさえあり、パーセンテージは、組成物の総重量を基準とする。
【００９６】
本発明の別の対象は、上記のマイクロエマルションに、以下のものを含む界面活性剤系：
・  非イオン性一次界面活性剤系
・  第一の非イオン性補助界面活性剤系、および
・  第二の非イオン性補助界面活性剤系
を添加する工程を含む，油相および水相を含むマイクロエマルションを安定化させる方法において、
−  非イオン性一次界面活性剤系が、５〜１９個のＰＥＧ単位を有する少なくとも１種のエトキシル化アルコールを含み、
−  第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
−  第二の非イオン性補助界面活性剤系が、１９個より多くのＰＥＧ単位を有するエトキシル化アルコール、１９個より多くのＰＥＧを有するＰＥＧ変性された水素化ヒマシ油、およびこれらの混合物から成る群より選択される、
ことを特徴とする方法である。
【００９７】
最終的に、本発明の最後の対象は、油相および水相を含むマイクロエマルションを安定化させるための、以下のもの：
・  非イオン性一次界面活性剤系
・  第一の非イオン性補助界面活性剤系、および
・  第二の非イオン性補助界面活性剤系
を含む界面活性剤系の使用において、
−  非イオン性一次界面活性剤系が、５〜１９個のＰＥＧ単位を有する少なくとも１種のエトキシル化アルコールを含み、
−  第一の非イオン性補助界面活性剤系が、１９個より多くのＰＥＧ単位を有するＰＥＧ変性された水素化ヒマシ油と、ポリプロポキシル化−ポリエトキシル化アルコールとを含み、かつ
−  第二の非イオン性補助界面活性剤系が、１９個より多くのＰＥＧ単位を有するエトキシル化アルコール、または１９個より多くのＰＥＧを有するＰＥＧ変性された水素化ヒマシ油、およびこれらの混合物から成る群より選択される、
ことを特徴とする使用である。
【００９８】
本発明のマイクロエマルションは、幅広い温度範囲および幅広い油相濃度範囲にわたり、特にかつ有利に安定であると証明された。
【００９９】
これより、例を用いて本発明をさらに説明する。特許請求される本発明は、これらの例のいずれによっても限定されることを意図してはいないと理解される。
【０１００】
実施例
第１節：試料の製造
一次界面活性剤系、補助界面活性剤系、疎水性活性成分（フレグランスオイル）および有機共溶媒を連続的に添加し、均質に混合する。その後、撹拌しながら脱塩水を添加し、望ましい濃度を得る。試料を、測定前に、室温で少なくとも２４時間、平衡した状態にする。
【０１０１】
第２節：温度安定性の測定
マイクロエマルションの温度安定性を、Ｔｅｃｈｎｏｂｉｓ、オランダの結晶ＰＶ装置で監視する。試料を、磁気撹拌棒とオーバーヘッドスターラーとを備えた透明な５ｍＬガラスバイアルに移す。冷却および加熱サイクルを、各試料に個別に適用する。第一の冷却工程を適用して、−１℃／分の冷却速度で２０℃から３℃に、続いて、加熱工程により、＋１℃／分の加熱速度で６０℃にする。最終的に、冷却工程を実施して、−０．５℃／分の冷却速度で６０℃から３℃にする。試料の濁り度を、ＬＥＤ検出器により監視し、％での透過率として表す。経路長は、約１．４ｃｍである。試料の透明度は、結晶ＰＶ装置において１００％の透過率により定められる。温度限界を最終的な冷却ランプにおいて検出し、シグナルが、１００％未満（透明ではない）から１００％（透明）の透過率に変化する場合、これは、温度状態図の透明域の上限温度を示し、シグナルが、１００％から１００％未満に変化する場合、これは、温度状態図の透明域の下限温度を示す。
【０１０２】
第３節：使用されるフレグランス
以下の例で使用される様々なフレグランスを、以下の表１〜４に示される割合で以下の主要成分を混合することにより製造した。
【０１０３】
【表１】
2020521632.tif 000002
１）２−フェニルエタノール
２）（＋−）−テトラヒドロ−２−イソブチル−４−メチル−４（２Ｈ）−ピラノール、製造元：Ｆｉｒｍｅｎｉｃｈ  ＳＡ、ジュネーブ、スイス
３）メチル２−（（１ＲＳ，２ＲＳ）−３−オキソ−２−ペンチルシクロペンチル）アセテート、製造元：Ｆｉｒｍｅｎｉｃｈ  ＳＡ、ジュネーブ、スイス
４）（＋−）−２，６−ジメチル−７−オクテン−２−オール
５）３，７−ジメチル−２，６−オクタジエン−１−オール
６）（＋−）−３，７−ジメチル−６−オクテン−１−オール
７）（＋）−（１Ｓ，１’Ｒ）−２−［１−（３’，３’−ジメチル−１’−シクロヘキシル）エトキシ］−２−メチルプロピルプロパノエート、製造元：Ｆｉｒｍｅｎｉｃｈ  ＳＡ、ジュネーブ、スイス
８）（＋−）−１−（オクタヒドロ−２，３，８，８−テトラメチル−２−ナフタレニル）−１−エタノン、製造元、Ｉｎｔｅｒｎａｔｉｏｎａｌ  Ｆｌａｖｏｒｓ＆Ｆｒａｇｒａｎｃｅｓ、ＵＳＡ
９）１−オキサ−１２／１３−シクロヘキサデセン−２−オン
１０）（＋−）−（４Ｅ）−３−メチル−４−シクロペンタデセン−１−オン
【０１０４】
【表２】
2020521632.tif 000003
１）（＋−）−２，６−ジメチル−７−オクテン−２−オール
２）４−シクロヘキシル−２−メチル−２−ブタノール
３）１−（５，５−ジメチル−１−シクロヘキセン−１−イル）−４−ペンテン−１−オン、製造元：Ｆｉｒｍｅｎｉｃｈ  ＳＡ、ジュネーブ、スイス
４）（＋）−（１Ｓ，１’Ｒ）−２−［１−（３’，３’−ジメチル−１’−シクロヘキシル）エトキシ］−２−メチルプロピルプロパノエート、製造元：Ｆｉｒｍｅｎｉｃｈ  ＳＡ、ジュネーブ、スイス
５）（＋−）−１−（オクタヒドロ−２，３，８，８−テトラメチル−２−ナフタレニル）−１−エタノン、製造元、Ｉｎｔｅｒｎａｔｉｏｎａｌ  Ｆｌａｖｏｒｓ＆Ｆｒａｇｒａｎｃｅｓ、ＵＳＡ
６）（−）−（３ａＲ，５ａＳ，９ａＳ，９ｂＲ）−３ａ，６，６，９ａ−テトラメチルドデカヒドロナフト［２，１−ｂ］フラン、製造元：Ｆｉｒｍｅｎｉｃｈ  ＳＡ、ジュネーブ、スイス
７）オキサシクロヘキサデカン−２−オン、製造元：Ｆｉｒｍｅｎｉｃｈ  ＳＡ、ジュネーブ、スイス
【０１０５】
【表３】
2020521632.tif 000004
１）（Ｅ）−３−フェニル−２−プロペナール
２）２−クロメノン
３）（＋−）−エチル２−メチルブタノエート
４）３−エトキシ−４−ヒドロキシベンズアルデヒド
５）２−メトキシ−４−（２−プロペン−１−イル）フェノール
６）エチル２−メチル−１，３−ジオキソラン−２−アセテート、製造元、Ｉｎｔｅｒｎａｔｉｏｎａｌ  Ｆｌａｖｏｒｓ＆Ｆｒａｇｒａｎｃｅｓ、ＵＳＡ
７）（＋−）−４−ヘキサノリド
８）メチル（Ｅ）−３−フェニル−２−プロペノエート
９）３−フェニル−１−プロパノール
１０）（＋−）−４−ウンデカノリド
１１）バニリン
１２）（＋−）−２−ＴＥＲＴ−ブチル−１−シクロヘキシルアセテート、製造元、Ｉｎｔｅｒｎａｔｉｏｎａｌ  Ｆｌａｖｏｒｓ＆Ｆｒａｇｒａｎｃｅｓ、ＵＳＡ
【０１０６】
【表４】
2020521632.tif 000005
１）アリル（２／３−メチルブトキシ）アセテート
２）２／３−メチルブチルアセテート
３）４−メトキシベンズアルデヒド
４）７−メチル−２Ｈ−１，５−ベンゾジオキセピン−３（４Ｈ）−オン、製造元：Ｆｉｒｍｅｎｉｃｈ  ＳＡ、ジュネーブ、スイス
５）（＋−）−３，７−ジメチル−６−オクテン−１−オール
６）３−ヒドロキシ−２−メチル−４（４Ｈ）−ピラノン
７）（＋−）−４−デカノリド
８）（＋−）−２，６−ジメチル−７−オクテン−２−オール
９）（＋−）−エチル２−メチルブタノエート
１０）（Ｅ／Ｚ）−３，７−ジメチル−１，６−ノナジエン−３−オール
１１）（＋−）−テトラヒドロ−２−イソブチル−４−メチル−４（２Ｈ）−ピラノール、製造元：Ｆｉｒｍｅｎｉｃｈ  ＳＡ、ジュネーブ、スイス
１２）エチル２−メチル−１，３−ジオキソラン−２−アセテート、製造元：Ｆｉｒｍｅｎｉｃｈ  ＳＡ、ジュネーブ、スイス
１３）メチル２−（（１ＲＳ，２ＲＳ）−３−オキソ−２−ペンチルシクロペンチル）アセテート、製造元：Ｆｉｒｍｅｎｉｃｈ  ＳＡ、ジュネーブ、スイス
１４）トリメチル−３−シクロヘキセン−１−カルバルデヒド
１５）（＋−）−（３Ｅ）−３−メチル−４−（２，６，６−トリメチル−２シクロヘキセン−１−イル）−３−ブテン−２−オン
１６）（５ＲＳ，９ＳＲ，１０ＲＳ）−２，６，９，１０−テトラメチル−１−オキサスピロ［４．５］デカ−３，６−ジエン
１７）（＋−）−３，７−ジメチル−１，６−オクタジエン−３−オール
１８）メチル２，４−ジヒドロキシ−３，６−ジメチルベンゾエート
１９）１−（５，５−ジメチル−１−シクロヘキセン−１−イル）−４−ペンテン−１−オン、製造元：Ｆｉｒｍｅｎｉｃｈ  ＳＡ、ジュネーブ、スイス
２０）（＋−）−４−ノナノリド
２１）２−フェニルエタノール
２２）α／β−ピネン
２３）（＋−）−３，４’−ジメチルスピロ［オキシラン−２，９’−トリシクロ［６．２．１．０〜２，７〜］ウンデカ［４］エン
２４）テトラヒドロ−４−メチル−２−（２−メチル−１−プロペニル）−２Ｈ−ピラン
２５）（＋−）−４−ウンデカノリド
２６）（＋−）−２，２，５−トリメチル−５−ペンチルシクロペンタノン
２７）（＋−）−２−ＴＥＲＴ−ブチル−１−シクロヘキシルアセテート、製造元、Ｉｎｔｅｒｎａｔｉｏｎａｌ  Ｆｌａｖｏｒｓ＆Ｆｒａｇｒａｎｃｅｓ、ＵＳＡ
２８）トリシクロ［５．２．１．０（２，６）］デカ−３−エン−８−イルプロパノエート。
【０１０７】
例１
本発明によるマイクロエマルションの製造
本発明によるマイクロエマルションを、以下のものを使用して、第１節に定めた手順により製造した：
−  異なる一次界面活性剤混合物
−  異なる共溶媒混合物
−  異なるフレグランス、および
−  異なるフレグランス充填度。
【０１０８】
上限温度および下限温度を、第２節に定めた実験手順を使用して求めた。
【０１０９】
以下の表５および６に、結果を要約する。
【０１１０】
【表５】
2020521632.tif 000006
１）ＰＥＧ（９）第二級アルコールエトキシレート；製造元：Ｄｏｗ  Ｃｈｅｍｉｃａｌｓ
２）ＰＥＧ（１２）第二級アルコールエトキシレート；製造元：Ｄｏｗ  Ｃｈｅｍｉｃａｌｓ
３）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
４）ＰＥＧ（６０）水素化ヒマシ油；製造元：Ｄｅｇｕｓｓａ
５）イソプロピルアルコール；製造元：Ｃａｒｌｏ  Ｅｒｂａ  Ｒｅａｇｅｎｔｓ
６）エタノール；製造元：Ｃａｒｌｏ  Ｅｒｂａ  Ｒｅａｇｅｎｔｓ
【０１１１】
【表６】
2020521632.tif 000007
１）ＰＥＧ（９）第二級アルコールエトキシレート；製造元：Ｄｏｗ  Ｃｈｅｍｉｃａｌｓ
２）ＰＥＧ（１２）第二級アルコールエトキシレート；製造元：Ｄｏｗ  Ｃｈｅｍｉｃａｌｓ
３）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
４）ＰＥＧ（６０）水素化ヒマシ油；製造元：Ｄｅｇｕｓｓａ
５）プロピレングリコール；製造元：Ｃａｒｌｏ  Ｅｒｂａ  Ｒｅａｇｅｎｔｓ  
６）ジプロピレングリコール；製造元：Ｃａｒｌｏ  Ｅｒｂａ  Ｒｅａｇｅｎｔｓ  
７）エタノール；製造元：Ｃａｒｌｏ  Ｅｒｂａ  Ｒｅａｇｅｎｔｓ
８）ジイソプロピリデングリセロール；製造元：Ｒｈｏｄｉａ  Ｓｏｌｖａｙ  ｇｒｏｕｐ
９）ＰＣ１００、ホスファチジルコリン。
【０１１２】
これらの結果から、低いフレグランス充填度または高いフレグランス充填度を有する本発明によるマイクロエマルションは、幅広い温度範囲の透明性を示すと結論付けることができる。これにより、大きな油相濃度範囲にわたり良好な安定性が強調される。
【０１１３】
比較例２
大きな温度範囲にわたる安定性
本発明によるマイクロエマルションおよび比較用マイクロエマルションを、第１節に定めた手順により製造した。
【０１１４】
比較用マイクロエマルションは、１９個よりも多いＰＥＧ単位を有する第一のＰＥＧ変性された水素化ヒマシ油とポリプロポキシル化−ポリエトキシル化アルコールとの組み合わせを含む混合物（すなわち、この例ではＬＲＩ（ＰＰＧ−２６ブテス−２６およびＰＥＧ−４０水素化ヒマシ油；製造元：ＬＣＷ  Ｓｅｎｓｉｅｎｔ  Ｃｏｓｍｅｔｉｃ  Ｔｅｃｈｎｏｌｏｇｉｅｓ）を第一の補助界面活性剤として含まないか、または第二の補助界面活性剤を含まない。それとは対照的に、本発明のマイクロエマルション組成物は、第一の補助界面活性剤としてのＬＲＩと、第二の補助界面活性剤とをさらに含む（表７参照）。
【０１１５】
【表７】
2020521632.tif 000008
１）ＰＥＧ（９）第二級アルコールエトキシレート；製造元：Ｄｏｗ  Ｃｈｅｍｉｃａｌｓ
２）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
３）ＰＥＧ−６０水素化ヒマシ油；製造元：Ｄｅｇｕｓｓａ。
【０１１６】
組成物Ａは、比較用組成物ＢおよびＣよりも、高温および低温での安定性が高く（透過率＝１００％）、温度安定性の範囲が幅広い。
【０１１７】
比較例３
異なる界面活性剤系を使用するマイクロエマルション組成物
異なる界面活性剤系を含むマイクロエマルションを製造した（以下の表８参照）。
【０１１８】
【表８】
2020521632.tif 000009
１）ＰＥＧ（９）第二級アルコールエトキシレート；製造元：Ｄｏｗ  Ｃｈｅｍｉｃａｌｓ
２）ＰＥＧ（１２）第二級アルコールエトキシレート；製造元：Ｄｏｗ  Ｃｈｅｍｉｃａｌｓ
３）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
４）ＰＥＧ（４０）水素化ヒマシ油；製造元：ＢＡＳＦ
５）ＰＥＧ（６０）水素化ヒマシ油；製造元：Ｄｅｇｕｓｓａ
６）ＰＥＧ（３０）第二級アルコールエトキシレート；製造元：Ｄｏｗ  Ｃｈｅｍｉｃａｌｓ。
【０１１９】
これらの結果は、いかなる場合でも、第一の補助界面活性剤および第二の補助界面活性剤の組み合わせを使用することにより、第一の補助界面活性剤または第二の補助界面活性剤のいずれかを単独で使用する系に比べて、マイクロエマルションの温度安定性が相乗的に向上することを強調している。
【０１２０】
比較例４
大きなフレグランス濃度範囲にわたる安定性
マイクロエマルションを、フレグランスＦ１を使用して、欧州特許出願公開第０５７１６７７号明細書の例５Ｃ、５Ｄおよび８Ｄの式に従って製造した。例８Ｄによる濃縮したフレグランス／界面活性剤組成物を製造し、希釈した。３０％〜０．５％の油相を含む式について、室温での安定性を比較する。
【０１２１】
以下の表９に結果を記載する。
【０１２２】
【表９】
2020521632.tif 000010
１）ＰＥＧ（７）第二級アルコールエトキシレート；製造元：Ｄｏｗ  Ｃｈｅｍｉｃａｌｓ
２）ＰＥＧ（９）第二級アルコールエトキシレート；製造元：Ｄｏｗ  Ｃｈｅｍｉｃａｌｓ
３）ＰＥＧ（１２）第二級アルコールエトキシレート；製造元：Ｄｏｗ  Ｃｈｅｍｉｃａｌｓ
４）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
５）ＰＥＧ（６０）水素化ヒマシ油；製造元：Ｄｅｇｕｓｓａ
６）プロピレンオキシドエチレンオキシドポリマーモノブチルエステル；製造元：Ｄｏｗ  Ｃｈｅｍｉｃａｌｓ
７）ナトリウムジオクチルスルホサクシネート、製造元：Ａｌｆａ  Ａｅｓａｒ。
【０１２３】
上記の結果は、本発明のマイクロエマルションが、希釈ラインに沿って安定している一方で、比較用マイクロエマルションが、中程度の油濃度で高い不安定性を示すことを表す。
【０１２４】
例５
本発明の組成物を含むエアフレッシュナー調製物（エアロゾル）
以下のエアフレッシュナー調製物を製造した。
【０１２５】
【表１０】
2020521632.tif 000011
１）ＰＥＧ（９）第二級アルコールエトキシレート；製造元：Ｄｏｗ  Ｃｈｅｍｉｃａｌｓ
２）ＰＥＧ（１２）第二級アルコールエトキシレート；製造元：Ｄｏｗ  Ｃｈｅｍｉｃａｌｓ
３）ＰＥＧ（６０）水素化ヒマシ油；製造元：Ｄｅｇｕｓｓａ
４）ＰＰＧ−２６ブテス−２６とＰＥＧ（４０）水素化ヒマシ油とのブレンド；製造元：ＬＣＷ  Ｓｅｎｓｉｅｎｔ  Ｃｏｓｍｅｔｉｃ  Ｔｅｃｈｎｏｌｏｇｉｅｓ
５）プロピレングリコール；製造元：Ｃａｒｌｏ  Ｅｒｂａ  Ｒｅａｇｅｎｔｓ
６）保存剤；製造元：Ａｌｄｒｉｃｈ
７）ｐＨ調整剤；製造元：Ａｃｒｏｓ
８）ｐＨ調整剤；製造元：Ｆｌｕｋａ
【国際調査報告】
2020521632.tif 000012
2020521632.tif 000013
2020521632.tif 000014